(57)【要約】  ０ｋｇの状態を正しく認識し、かつ重量測定に要する時間を短縮する。  重量を測定するロードセル１３４を備えた体組成計１００，１００Ａに、測定対象が乗っていない初期状態のロードセル１３４の出力値の測定を行うステップＳ２２１と、測定した初期状態の出力値を複数記憶する記憶部１１２と、該複数の初期状態の出力値のばらつきが所定範囲内にある場合に０ｋｇ基準値データ１６１を作成するステップＳ２０７と、前記ロードセル１３４により重量測定を行う際に前記初期基準値を用いて測定するステップＳ２０４とを備えた。
2010073682.tif 000002
【特許請求の範囲】
【請求項１】
重量を測定する重量測定手段を備えた重量測定装置であって、
測定対象が乗っていない初期状態の重量測定手段の出力値の測定を行う初期値測定手段と、
測定した初期値を複数記憶する記憶手段と、
該複数の初期値のばらつきが所定範囲内にある場合に初期基準値を作成する初期基準値作成手段と、
前記重量測定手段により測定対象の重量測定を行う際に前記初期基準値を用いて測定する初期基準値適用手段とを備えた
重量測定装置。
【請求項２】
前記初期基準値作成手段は、作成した初期基準値を前記記憶手段に記憶する構成であり、
前記初期基準値適用手段は、前記記憶手段に前記初期基準値が記憶されていれば該初期基準値を使用して測定対象の重量測定をする構成であり、
前記記憶手段に前記初期基準値が記憶されていない場合に前記初期値測定手段で測定した初期値を使用して測定対象の重量測定をする測定初期値適用手段を備えた
請求項１記載の重量測定装置。
【請求項３】
前記初期基準値の更新の要否を判定する更新要否判定手段を備え、
該更新要否判定手段で更新必要と判定した場合、前記記憶手段に記憶した初期基準値を不使用にする初期基準値不使用化手段を備えた
請求項２記載の重量測定装置。
【請求項４】
前記記憶手段は、毎回の重量測定後の前記重量測定手段の出力値を測定後値として記憶する構成とし、
前記更新要否判定手段は、重量測定開始前の初期値を測定し、該初期値と前記記憶手段から読み出した最新の前記測定後値とを比較して所定の変化があれば更新必要と判定し、そうでなければ更新不要と判定する構成である
請求項３記載の重量測定装置。
【請求項５】
時間の経過を測定する計時手段を備え、
前記更新要否判定手段は、前記初期基準値作成手段による初期基準値の作成から所定時間が経過していれば更新必要と判定し、そうでなければ更新不要と判定する構成である
請求項３記載の重量測定装置。
【請求項６】
前記更新要否判定手段は、測定対象の重量測定が行われていないときに前記重量測定手段の出力値に変動がある場合に更新必要と判定し、そうでなければ更新不要と判定する構成である
請求項３記載の重量測定装置。
【請求項７】
移動や振動による加速度の変化を検出する加速度検出手段を備え、
前記更新要否判定手段は、前記加速度検出手段により加速度の変化を検出した場合に更新必要と判定し、そうでなければ更新不要と判定する構成である
請求項３記載の重量測定装置。
【請求項８】
前記初期値測定手段で測定した初期値を使用して重量測定したか、前記記憶手段に記憶されている初期基準値を使用して重量測定したかを表示する表示手段を備えた
請求項２記載の重量測定装置。
【請求項９】
重量測定手段を備えた重量測定装置により重力を測定する重量測定方法であって、
測定対象が乗っていない初期値の重量測定手段の測定を初期値測定手段により行い、
測定した初期値を記憶手段に複数記憶し、
該複数の初期値のばらつきが所定範囲内にある場合に初期基準値作成手段により初期基準値を作成し、
前記重量測定手段により重量測定を行う際に初期基準値適用手段により前記初期基準値を用いて測定する
重量測定方法。
【請求項１０】
前記初期基準値作成手段により、作成した初期基準値を前記記憶手段に記憶し、
前記初期基準値適用手段により、前記記憶手段に前記初期基準値が記憶されていれば該初期基準値を使用して重量測定をし、
前記記憶手段に前記初期基準値が記憶されていない場合に測定初期値適用手段により前記初期値測定手段で測定した初期値を使用して重量測定をする
請求項９記載の重量測定方法。
【請求項１１】
前記初期基準値の更新の要否を更新要否判定手段により判定し、
該更新要否判定手段で更新必要と判定した場合、初期基準値不使用化手段により前記記憶手段に記憶した初期基準値を不使用にする
請求項１０記載の重量測定方法。
【請求項１２】
前記初期値測定手段で測定した初期値を使用して重量測定したか、前記記憶手段に記憶されている初期基準値を使用して重量測定したかを表示手段に表示する
請求項１０記載の重量測定方法。
【発明の詳細な説明】
【技術分野】
【０００１】
この発明は、例えば生体の重量を測定するような重量測定装置に関し、特に複数回の測定を利用して０ｋｇの測定（利用者が乗っていない初期状態の測定）を無くすことができる重量測定装置に関する。
【背景技術】
【０００２】
従来、生体の体重を測定する様々な重量測定装置が提供されている。このように体重を測定するものとして、体組成計に体重計としての機能が含まれているものが提案されているが、事前にキャリブレーションで基準値を定めるものとしては、ペットの体重を測定するものが提案されている（特許文献１参照）。このペット用自動体重計測システムは、事前に所定重量の錘を用いたキャリブレーションで求めた基準値を用いることが記載されている。【０００３】
このような基準値となる０ｋｇ状態は、重量測定装置の設置場所や傾き等によって変化する。上述したペット用自動体重計測システムは、事前にキャリブレーションで基準値を求めておくものであるため、工場出荷後の設置環境による誤差が生じてしまうものであった。【０００４】
一方、重量測定装置としての精度を確保するため、体重測定を開始する前に０ｋｇの測定を行うことが一般的に実施されている。しかし、この場合、この測定に時間がかかり、すぐに測定を始めることができない。このため、毎回の測定に時間がかかるという問題点が生じる。
【先行技術文献】
【特許文献】
【０００５】
【特許文献１】特開２００７−３３０２００号公報
【発明の概要】
【発明が解決しようとする課題】
【０００６】
この発明は、上述した問題点に鑑み、０ｋｇの状態を正しく認識し、かつ重量測定に要する時間を短縮することを目的とする。
【課題を解決するための手段】
【０００７】
この発明は、重量を測定する重量測定手段を備えた重量測定装置または重量測定方法であって、測定対象が乗っていない初期状態の重量測定手段の出力値の測定を行う初期値測定手段と、測定した初期値を複数記憶する記憶手段と、該複数の初期値のばらつきが所定範囲内にある場合に初期基準値を作成する初期基準値作成手段と、前記重量測定手段により測定対象の重量測定を行う際に前記初期基準値を用いて測定する初期基準値適用手段とを備えた重量測定装置または重量測定方法とすることができる。  
前記初期値は、初期の重量測定手段の出力値とすることができる。  
これにより、短時間で精度の良い重量測定を実現することができる。【０００８】
この発明の態様として、前記初期基準値作成手段は、作成した初期基準値を前記記憶手段に記憶する構成であり、前記初期基準値適用手段は、前記記憶手段に前記初期基準値が記憶されていれば該初期基準値を使用して測定対象の重量測定をする構成であり、前記記憶手段に前記初期基準値が記憶されていない場合に前記初期値測定手段で測定した初期値を使用して測定対象の重量測定をする測定初期値適用手段を備えることができる。【０００９】
これにより、初期基準値が作成されるまでは、その都度初期値を測定して該初期値を用いた精度よい重量測定を実行でき、初期基準値の作成後は、この初期基準値を用いて短時間で精度よく重量測定を実行できる。【００１０】
またこの発明の態様として、前記初期基準値の更新の要否を判定する更新要否判定手段を備え、該更新要否判定手段で更新必要と判定した場合、前記記憶手段に記憶した初期基準値を不使用にする初期基準値不使用化手段を備えることができる。【００１１】
前記初期基準値不使用化手段は、記憶手段に記憶している初期基準値を消去する手段、あるいは記憶手段に記憶している初期基準値を使用しないで処理を行うように動作を変更する手段など、適宜の手段により構成することができる。【００１２】
この態様により、初期基準値の更新が必要な場合に確実に更新することが可能になる。【００１３】
またこの発明の態様として、前記記憶手段は、毎回の重量測定後の前記重量測定手段の出力値を測定後値として記憶する構成とし、前記更新要否判定手段は、重量測定開始前の初期値を測定し、該初期値と前記記憶手段から読み出した最新の前記測定後値とを比較して所定の変化があれば更新必要と判定し、そうでなければ更新不要と判定する構成とすることができる。【００１４】
前記所定の変化は、一定量以上のひずみ値の変化とするなど、適宜の変化に定めることができる。  
この態様により、前回の測定時と重量測定手段の状態が変化していれば初期基準値を更新することが可能になる。従って、状況が変わっても古い初期基準値を使用し続けることを防止できる。【００１５】
またこの発明は、時間の経過を測定する計時手段を備え、前記更新要否判定手段は、前記初期基準値作成手段による初期基準値の作成から所定時間が経過していれば更新必要と判定し、そうでなければ更新不要と判定する構成とすることができる。【００１６】
これにより、初期基準値を所定の期間毎に更新することができ、常に初期基準値を最新化しておくことができる。従って、経年変化等によって重量測定手段の初期状態が変化しても、その変化に対応した初期基準値に更新することができる。【００１７】
またこの発明の態様として、前記更新要否判定手段は、測定対象の重量測定が行われていないときに前記重量測定手段の出力値に変動がある場合に更新必要と判定し、そうでなければ更新不要と判定する構成とすることができる。【００１８】
これにより、移動や振動など重量測定以外の要因による重量測定手段の出力を検出し、初期基準値を更新することができる。【００１９】
またこの発明の態様として、移動や振動による加速度の変化を検出する加速度検出手段を備え、前記更新要否判定手段は、前記加速度検出手段により加速度の変化を検出した場合に更新必要と判定し、そうでなければ更新不要と判定する構成とすることができる。【００２０】
これにより、移動や振動など測定精度に影響する環境変化を検出し、初期基準値を更新することができる。【００２１】
またこの発明の態様として、前記初期値測定手段で測定した初期値を使用して重量測定したか、前記記憶手段に記憶されている初期基準値を使用して重量測定したかを表示する表示手段を備えることができる。  
これにより、重量測定直前に測定された初期値を用いたのか、それとも記憶手段に記憶された初期基準値を用いたのかを確認することができる。
【発明の効果】
【００２２】
この発明により、０ｋｇの状態を正しく認識し、かつ重量測定に要する時間を短縮することができる。
【図面の簡単な説明】
【００２３】
【図１】体組成計の外観を示す斜視図。
【図２】体組成計とサーバの構成を示すブロック図。
【図３】０ｋｇ基準値を利用して体重測定する動作を示すフローチャート。
【図４】０ｋｇ状態測定処理の詳細な動作のフローチャート。
【図５】実施例２の体組成計の構成を示すブロック図。
【図６】実施例２の体組成計の記憶部に記憶されるデータの説明図。
【図７】実施例２の体組成計の表示部に表示する表示内容を説明する説明図。
【図８】実施例２の体組成計の制御部が実行する動作のフローチャート。
【発明を実施するための形態】
【００２４】
この発明の一実施形態を以下図面と共に説明する。  
【実施例１】
【００２５】
図１は、体重計の機能を有する体組成計１００の外観を示す斜視図であり、図２は、体組成計１００と、該体組成計１００と通信可能なサーバ１５０の構成を示すブロック図である。図２の図示では１つの体組成計１００をサーバ１５０に接続しているが、種類の異なる複数の体組成計１００や、歩数計、活動量計などの生体情報取得装置をサーバ１５０に接続してもよい。【００２６】
体組成計１００は、図１に示すように、利用者が手で持つ第１の筐体である表示操作部１１０（ＢＦＡ部：ボディー  ファット  アナライザー部）、利用者が乗る第２の筐体である体重測定部１３０（ＳＣＡＬＥ部）とで主に構成されている。【００２７】
表示操作部１１０は、図２に示すように通信部１１１、記憶部１１２、計時部１１３、操作部１１４、表示部１１５、定電流回路部１１６、電源部１１７、制御部１１８、二重積分ＡＤ部１１９、インピーダンス検知部１２０、および電極部１２１が設けられている。【００２８】
通信部１１１は、制御部１１８に接続されており、該制御部１１８の制御信号に従ってサーバ１５０と通信を行う。なお、この通信部１１１は、サーバ１５０に限らず、歩数計などの他の生体情報取得装置と通信する、あるいはパーソナルコンピュータや携帯情報端末（ＰＤＡあるいは携帯電話機等）と通信するなど、適宜の装置と通信する構成にしてもよい。【００２９】
記憶部１１２は、不揮発性のメモリやハードディスクなどの情報を記憶できる装置で構成されており、接続された制御部１１８の制御信号に従って情報の読み出しや書き込みを行う。この記憶部１１２には、過去の０ｋｇ状態測定値を記憶し、また０ｋｇ基準値を記憶している。【００３０】
計時部１１３（計時手段）は、現在日時などの時刻を計時する装置であり、必要に応じて時刻を制御部１１８へ送る。  
操作部１１４は、押下操作される複数のボタン（図１参照）により構成されており、体重や身長といった利用者情報の入力など、利用者に押下操作された入力情報を制御部１１８へ送る。【００３１】
表示部１１５は、液晶画面（図１参照）などの表示装置によって構成され、制御部１１８から送られる画像信号に従って文字や図形といった画像を表示する。  
定電流回路部１１６は、制御部１１８の制御に基づいて、電源部１１７から供給される高周波（交流）電流を電流印加用の電極部１２１に一方向に流す。【００３２】
電源部１１７は、制御部１１８を含め各部に動作電力を供給する。  
制御部１１８は、ＣＰＵとＲＯＭとＲＡＭあるいはマイコン（マイクロコンピュータ）により構成されており、ＲＯＭ等に記憶されているプログラムに従って各部の制御動作や演算動作を実行する。【００３３】
二重積分ＡＤ部１１９は、二重積分型のＡＤ（アナログ／デジタル）変換部であり、インピーダンス検知部１２０から供給されるアナログ信号をデジタル信号に変換する。【００３４】
インピーダンス検知部１２０は、体重測定部１３０に設けられている電極部１３６と表示操作部１１０に設けられている電極部１２１との電位差に基づいてインピーダンスを検出する。【００３５】
電極部１２１は、利用者が手で持つ表示操作部１１０のグリップ部分（図１参照）の表面に設けられており、グリップ部分を握っている利用者の手のひらへ電源部１１７から供給される高周波（交流）電流を印加する。【００３６】
体重測定部１３０は、操作部１３１、電池１３２、荷重検知部１３３、および電極部１３６により構成されている。  
操作部１３１は、電源のＯＮ／ＯＦＦを切り替えるための入力スイッチとして機能し、入力された入力信号を制御部１１８へ送る。【００３７】
電池１３２は、電源部１１７を中心に各部へ電力供給を行う。  
荷重検知部１３３は、ロードセル１３４を内蔵しており、筐体の上面カバーを兼ね備える上面カバー部１３５（図１参照）の上に乗った利用者の体重を測定する。このとき測定した体重は、二重積分ＡＤ部１１９へ送られる。なお、ロードセル１３４は、ひずみゲージ式の検出方法を採用しており、起歪体と呼ばれる弾性体にひずみゲージが貼り付けられ、このひずみゲージのひずみ値を出力するものである。このひずみ値と応力（重量による力）との比例関係を利用して重量を測定することができる。【００３８】
電極部１３６は、利用者が上に乗る体重測定部１３０の上面部分（図１参照）の表面に設けられており、利用者の足裏から流れてくる電流を受け取る電流測定用の電極である。この電極部１３６は、利用者の左足指側、左足踵側、右足指側、右足踵側の４つの電極により構成されている。【００３９】
サーバ１５０は、通信部１５１、制御部１５２、操作部１５３、表示部１５４、および記憶部１５５により構成されている。  
通信部１５１は、制御部１５２の制御に従って体組成計１００とデータの送受信を行う。【００４０】
制御部１５２は、ＣＰＵとＲＯＭとＲＡＭにより構成されており、ＲＯＭ等に記憶されているプログラムに従って各部の制御動作や演算動作を実行する。  
操作部１５３は、キーボードやマウスといった操作入力装置で構成されており、操作入力された入力信号を制御部１５２へ送る。【００４１】
表示部１５４は、液晶ディスプレイやＣＲＴディスプレイといった表示装置で構成されており、制御部１５２の制御信号に従って表示を行う。  
記憶部１５５は、ハードディスクなどの記憶装置により構成され、体組成計１００で測定した体組成データ（体脂肪データや体重データ）、図示省略する歩数計で測定した歩数データ、図示省略する活動量計で測定した活動量データ、および利用者の氏名や住所といった個人情報など、生体に関する種々のデータが記憶されている。【００４２】
このように構成された体組成計１００とサーバ１５０と図示省略する歩数計や活動量計といった他の生体情報取得装置によって生体情報取得システム１０１が構成されている。なお、図示省略する歩数計や活動量計といった他の生体情報取得装置は、通信部１５１を通じてサーバ１５０とデータ通信し、歩数、歩行波形、活動量といった適宜のデータをサーバ１５０の記憶部１５５に記憶する。これにより、多種類の生体情報を取り扱えるようにしている。【００４３】
図３は、体組成計１００の制御部１１８が０ｋｇ基準値を利用して体重測定する動作を示すフローチャートである。  
制御部１１８は、記憶部１１２に０ｋｇ基準値が記憶されているか否か判定し（ステップＳ２０１）、記憶されていれば（ステップＳ２０１：Ｎｏ）、その０ｋｇ基準値を体重測定用０ｋｇ値として使用し（ステップＳ２０３）、ステップＳ２０８へ処理を進める。このとき、使用する０ｋｇ基準値を設定するまでに要する時間は、例えば０．１秒未満と非常に短い時間になる。【００４４】
０ｋｇ基準値が記憶部１１２に記憶されていなかった場合（ステップＳ２０１：Ｙｅｓ）、制御部１１８は、荷重検知部１３３によって０ｋｇ状態測定処理を実行して０ｋｇ状態測定値を取得する（ステップＳ２０２）。この０ｋｇ状態測定処理の詳細は後述するが、測定完了までに例えば３〜１０秒とある程度の時間がかかる。【００４５】
制御部１１８は、０ｋｇ状態測定が終了して０ｋｇ状態測定値を取得すると、過去に記憶部１１２に蓄積した０ｋｇ状態測定値と合わせて規定回数（例えば１０回）以上の０ｋｇ状態測定を行っているか否か判定する（ステップＳ２０４）。【００４６】
制御部１１８は、規定回数未満であれば（ステップＳ２０４：Ｎｏ）、ステップＳ２０２で得た０ｋｇ状態測定値をそのまま体重測定用０ｋｇ値に採用してステップＳ２０８へ処理を進める。【００４７】
規定回数以上であれば（ステップＳ２０４：Ｙｅｓ）、制御部１１８は、標準偏差測定を実行する（ステップＳ２０５）。この標準偏差測定は、ステップＳ２０２で取得した０ｋｇ状態測定値も含めて蓄積した０ｋｇ状態測定値のばらつきを求める処理であり、このばらつきの標準偏差を求める。このばらつきを求める計算には、例えば０．５秒程度を要する。【００４８】
ばらつきが規定値以内でなければ（ステップＳ２０６：Ｎｏ）、制御部１１８は、ステップＳ２０２で得た０ｋｇ状態測定値をそのまま体重測定用０ｋｇ値に採用してステップＳ２０８へ処理を進める。【００４９】
ばらつきが規定値以内であれば（ステップＳ２０６：Ｙｅｓ）、制御部１１８は、テップＳ２０２で取得した０ｋｇ状態測定値も含めて蓄積した０ｋｇ状態測定値の平均値を計算し、この平均値を０ｋｇ基準値として記憶部１１２に保存する（ステップＳ２０７）。この計算と保存には、例えば０．５秒程度を要する。このとき、制御部１１８は、ステップＳ２０２で取得した０ｋｇ状態測定値、あるいはステップＳ２０７で算出した０ｋｇ基準値のいずれか一方を体重測定用０ｋｇ値とする。どちらを体重測定用０ｋｇ値とするかは、予め設定しておくとよい。【００５０】
制御部１１８は、上面カバー部１３５に利用者が乗った状態で荷重検知部１３３が出力する出力値を取得する体重測定を行う（ステップＳ２０８）。【００５１】
そして、制御部１１８は、ステップＳ２０８で取得した出力値について体重測定用０ｋｇ値との差分をとり、この差分を体重値として出力し（ステップＳ２０９）、電源ＯＦＦ（ステップＳ２１０）して終了する。この出力は、表示部１１５に表示する、記憶部１１２に記憶する、サーバ１５０へ送信するなど、適宜の方法により実行することができる。【００５２】
図４は、前述したステップＳ２０２の０ｋｇ状態測定処理の詳細な動作を示すフローチャートである。  
制御部１１８は、荷重検知部１３３に設けられた４つのロードセル１３４（図２参照）のひずみ値を取得する（ステップＳ２２１）。このひずみ値は、現在のひずみ値が取得値となる。【００５３】
制御部１１８は、ひずみ値の取得回数が規定回数以上か否かをチェックする（ステップＳ２２２）。規定回数未満であれば（ステップＳ２２２：Ｎｏ）、ステップＳ２２１へ処理を戻し、再度ひずみ値の取得を実行する。【００５４】
規定回数以上であれば（ステップＳ２２２：Ｙｅｓ）、制御部１１８は、今までの取得値の移動平均（Ｘ回移動平均）を計算して移動平均値を求める（ステップＳ２２３）。【００５５】
制御部１１８は、移動平均値の変化をチェックし、変化量が大きければ（ステップＳ２２４：変化量大）、ステップＳ２２１に処理を戻して再度ひずみ値の取得を実行する。【００５６】
移動平均値の変化量が小さければ（ステップＳ２２４：変化量小）、制御部１１８は、この移動平均値が現在の０ｋｇ状態のひずみ度であると定め（ステップＳ２２５）、処理を終了する。  
体組成計１００による体脂肪率の測定は、インピーダンス検知部１２０により測定したインピーダンスをもとに所定の演算式を実行することで行う。【００５７】
以上に説明したように、体組成計１００は、利用者が乗っていない初期状態（０ｋｇ状態）の出力値の測定を行う初期値測定手段（ステップＳ２０２を実行する制御部１１８）と、測定した初期値を複数記憶する記憶手段（記憶部１１２）と、該複数の初期値のばらつきが所定範囲内（規定値以内）にある場合に初期基準値を作成する初期基準値作成手段（ステップＳ２０７を実行する制御部１１８）と、重量測定手段（荷重検知部１３３）により重量測定を行う際に前記初期基準値を用いて測定する初期基準値適用手段（ステップＳ２０９を実行する制御部１１８）とを備えたため、短時間で精度の良い体重測定を実現することができる。【００５８】
すなわち、仮に体重測定を開始する前に必ず０ｋｇの状態を測定すると、３〜１０秒程度の時間が毎回かかることになり、すぐに計測が始めることができない。これに対し、測定開始から１０回程度は毎回０ｋｇ測定を行い、その測定毎に体組成計の０ｋｇ状態を保存し、ばらつきが低ければこの平均値を０ｋｇ基準値とすることで、これ以降０ｋｇ測定に要する時間を短縮して体重測定ができる。これにより、体組成計１００が一旦測定場所に置かれると、該体組成計１００の０ｋｇ状態はほぼ変わらないことを利用して、測定時間の短縮を図ることができる。【００５９】
また、０ｋｇ状態測定値を記憶部１１２やサーバ１５０に蓄積することで、次回の０ｋｇ状態測定値を予測でき、この０ｋｇ状態の測定に要する時間を省略できる。
【実施例２】
【００６０】
次に、必要に応じて０ｋｇ基準値を再設定する実施例２について説明する。  
図５は、体組成計１００Ａの構成を示すブロック図である。この体組成計１００Ａには、体重測定部１３０Ａに加速度センサ１３７が設けられている。加速度センサ１３７は、移動や振動による加速度の変化を検出し、検出した加速度信号を制御部１１８に伝達する。なお、加速度センサには、適宜のものを用いることができるが、どのような方向への移動や振動でも検出するためには３次元の加速度センサが好ましい。【００６１】
その他の構成は、実施例１と同一であるため、同一要素に同一符号を付して、その詳細な説明を省略する。【００６２】
図６は、体組成計１００Ａの記憶部１１２に記憶されるデータの説明図であり、図６（Ａ）は０ｋｇ基準値データ１６１、図６（Ｂ）は０ｋｇ状態測定値データ１６２を示している。【００６３】
図６（Ａ）に示すように、０ｋｇ基準値データ１６１は、設定時に計時部１１３から取得した設定年月日と、４つのロードセル１３４別にそれぞれ決定した０ｋｇ基準値Ａ〜Ｄを記憶している。この０ｋｇ基準値データ１６１は、各項目について１つだけデータを記憶する１レコードのデータとして構成されている。【００６４】
図６（Ｂ）に示すように、０ｋｇ状態測定値データ１６２は、測定時に計時部１１３から取得した測定年月日と、４つのロードセル１３４別にそれぞれ測定した０ｋｇ状態測定値Ａ〜Ｄを記憶している。この０ｋｇ状態測定値データ１６２は、実施例１で説明したステップＳ２２１で測定した４つのロードセル１３４のひずみ値を測定年月日とともにそれぞれ記憶するものであり、複数回分（この実施例では１０回分）記憶できるように構成されている。１つめのレコードから順にデータが記憶されていき、最後のレコードまでデータが記憶されると、最初のレコードに戻って上書きされていく。これにより、最新のデータを複数個記憶できるようにしている。【００６５】
図７は、体組成計１００Ａの表示部１１５に表示する表示内容を説明する説明図である。図７（Ａ）に示すように、表示部１１５は、測定した体重を表示する体重表示部１１５ａと、直前に０ｋｇ状態を測定してその０ｋｇ状態測定値を利用した体重であることを示すキャリブレーション表示部１１５ｂとが設けられている。【００６６】
上述した実施例１のステップＳ２０１にて０ｋｇ基準値が無かった場合（ステップＳ２０１：Ｙｅｓ）は、この図７（Ａ）に示すようにキャリブレーション表示部１１５ｂに「calibration」と表示を行う。上述した実施例１のステップＳ２０１にて０ｋｇ基準値があった場合は（ステップＳ２０１：Ｎｏ）、キャリブレーション表示部１１５ｂに表示を行わず、図７（Ｂ）に示すように体重表示部１１５ａに体重を表示する。【００６７】
なお、キャリブレーション表示部１１５ｂの表示は、図示するように「calibration」と表示することに限らず、「直前調整有り」などの他の文言とする、あるいは適宜定めた図形を表示するなど、適宜の表示とすることができる。【００６８】
図８は、体組成計１００Ａの制御部１１８が必要に応じて０ｋｇ基準値を再設定し、この０ｋｇ基準値を利用して体重測定する動作を示すフローチャートである。  
制御部１１８は、電源がＯＮされると、０ｋｇ基準値の再設定が必要か否か判定する（ステップＳ２３１）。この判定は、所定条件に該当するか否かによって行う。具体的には、記憶部１１２の０ｋｇ基準値データ１６１に記憶されている設定年月日から現在日が所定日数以上経過している場合に再設定が必要と判定し、そうでなければ再設定不要と判定するとよい。【００６９】
他にも、４つのロードセル１３４の０ｋｇ状態測定値を測定し、記憶部１１２の０ｋｇ状態測定値データ１６２から過去の最新のロードセル１３４の０ｋｇ状態測定値Ａ〜Ｄ（この場合は、体重測定終了後に測定した０ｋｇ状態測定値とすることが好ましい）を取得し、これらを比較して所定量以上の変化がある場合に再設定が必要と判定してもよい。【００７０】
また、前回の測定後に所定量以上の加速度の変化が加速度センサ１３７により検出された場合に再設定必要と判定してもよい。この場合、加速度センサ１３７により所定量以上の加速度変化があれば、記憶部１１２に加速度の変化量と変化年月日を記憶する構成にするとよい。そして、過去の最新の測定時よりも加速度変化の検出時が新しい場合に、移動等による加速度の変化があったとして再設定必要と判定するとよい。【００７１】
また、所定基準として上述したような日数や０ｋｇ状態や加速度変化などの複数の判定基準を用いて、１つでも判定基準に該当すれば再設定必要と判定する構成にしてもよい。【００７２】
このようにして再設定必要と判定した場合（ステップＳ２３１：Ｙｅｓ）、制御部１１８は、記憶部１１２の０ｋｇ基準値データ１６１を消去し（ステップＳ２３２）、０ｋｇ基準値決定処理を実行する（ステップＳ２３３）。このとき、０ｋｇ状態測定値データ１６２も消去する構成にしてもよい。  
また、再設定不要と判定した場合（ステップＳ２３１：Ｎｏ）、制御部１１８は、０ｋｇ基準値決定処理を実行する（ステップＳ２３３）。【００７３】
この０ｋｇ基準値決定処理は、上述した実施例１のステップＳ２０１〜Ｓ２０７と同一の処理を行うものであり、その詳細な説明を省略する。これにより、ステップＳ２３１で再設定必要と判定していれば、ステップＳ２０２の０ｋｇ状態の測定を実行し、ステップＳ２３１で再設定不要と判定していれば、ステップＳ２０３で０ｋｇ基準値を使用することになる。【００７４】
制御部１１８は、体重測定処理を実行する（ステップＳ２３４）。この体重測定処理は、上述した実施例１のステップＳ２０８〜Ｓ２０９と同一の処理を行うものであり、その詳細な説明を省略する。なお、ステップＳ２０９では、表示部１１５に測定体重を表示する際に、図７（Ａ）に示したようにキャリブレーション（０ｋｇ基準値の調整）を直前に行ったか否か（キャリブレーション表示部１１５ｂ）も同時に表示する。【００７５】
制御部１１８は、このようにして０ｋｇ基準値の再設定の要否を判定し、０ｋｇ基準値を決定し、体重測定を行った後、電源をＯＦＦにして処理を終了する（ステップＳ２３５）。【００７６】
以上の構成および動作により、体組成計１００Ａが移動された場合など０ｋｇ状態の再設定が必要な場合に、再設定が必要なことを検出して０ｋｇ基準値を再設定することができる。【００７７】
また、４つのロードセル１３４で測定したそれぞれのひずみ値（ひずみゲージの値）を０ｋｇ状態測定値Ａ〜Ｄとして記憶しているため、これらを比較して底面の傾きを判定することができる。すなわち、人が乗っていない場合、体組成計１００Ａの自重のみがひずみゲージにかかっているため、これを比較することで底面の傾きを判定できる。これにより、底面の傾きによる重量測定の誤差を防止することができる。【００７８】
また、一度置き場所が定まるとそのままの場所に置かれていることが多い体重計（体組成計１００Ａ）の利用態様に適応して、測定精度の向上と測定時間の他萎縮の両立を図ることができる。【００７９】
すなわち、どこかに設置されると、当初は毎回０ｋｇ状態の測定が実行され、少々時間がかかるが精度の高い体重測定を行うことができる。そして、所定回数である１０回の０ｋｇ状態測定値の蓄積があると、平均値を０ｋｇ基準値として保存し、以降はこの０ｋｇ基準値を用いて短時間に体重測定を完了させることができる。このとき、０ｋｇ基準値として保存される値は、ばらつきが規定値以内の場合に限られているため、高い精度を維持することができる。【００８０】
そして、体重計（体組成計１００Ａ）が移動されて０ｋｇ状態に変化が生じた場合など、再設定基準に該当する場合は、０ｋｇ基準値を消去（リセット）して最初から０ｋｇ状態の測定、０ｋｇ基準値の設定を行うことができる。【００８１】
このようにして、体重計（体組成計１００Ａ）が移動等される毎に、その場所で最適な状態に０ｋｇ基準値が調整されるため、利用者は複雑な操作などをせずとも、ただ体重計（体組成計１００Ａ）を設置して体重を測定するだけで精度の高い体重を知ることがきる。【００８２】
また、その場で体重計（体組成計１００Ａ）が置きなおされる、あるいは何かに衝突して傾きが変わるなどにより、０ｋｇ状態の測定値が変化した場合も、０ｋｇ基準値の再設定が実行されるため、常時最適な状態で精度の高い体重測定を実行することができる。【００８３】
また、所定時間が経過した場合も０ｋｇ基準値の再設定が実行されるため、経年変化等によって０ｋｇ状態に変化が生じても再調整して精度よく測定することができる。  
また、実施例１と同一の効果も得ることができる。【００８４】
なお、以上の各実施例では、体重測定の前に０ｋｇの測定を実行したが、これにかぎらず、体重測定後に実行する構成とする、あるいは体重測定の前後に実行する構成とすることもできる。特に体重測定の前後に実行する場合、前後で測定した０ｋｇ状態のひずみ値に差があれば、前後に測定した０ｋｇ状態測定値の平均値を用いる、あるいは表示部１１５にエラー表示して再測定を求めるなど、さらに精度を高めることができる。【００８５】
また、０ｋｇ基準値データ１６１や０ｋｇ状態測定値データ１６２に記憶する時間を年月日としたが、これに限らず日時とするなど、時間の経過を判定可能な適宜の単位とすることができる。【００８６】
この発明の構成と、上述の実施形態との対応において、
この発明の重量測定装置は、実施形態の体組成計１００，１００Ａに対応し、
以下同様に、
記憶手段は、記憶部１１２に対応し、
計時手段は、計時部１１３に対応し、
表示手段は、表示部１１５に対応し、
初期基準値適用手段は、ステップＳ２０３を実行する制御部１１８に対応し、
測定初期値適用手段は、ステップＳ２０４：ＮＯおよびステップＳ２０６：ＮＯを実行する制御部１１８に対応し、
初期基準値作成手段は、ステップＳ２０７を実行する制御部１１８に対応し、
初期値測定手段は、ステップＳ２２１を実行する制御部１１８に対応し、
更新要否判定手段は、ステップＳ２３１を実行する制御部１１８に対応し、
初期基準値不使用化手段は、ステップＳ２３２を実行する制御部１１８に対応し、
重量測定手段は、ロードセル１３４に対応し、
加速度検出手段は、加速度センサ１３７に対応し、
初期基準値は、０ｋｇ基準値データ１６１の０ｋｇ基準値Ａ〜Ｄに対応し、
初期値は、０ｋｇ状態測定値に対応し、
所定時間は、所定日数に対応し、
重量測定手段の出力値は、ひずみ値に対応し、
測定対象は、利用者に対応し、
所定の変化は、所定量以上の変化に対応し、
所定範囲は、規定値に対応し、
初期状態は、利用者が乗っていない状態に対応するが、
この発明は、上述の実施形態の構成のみに限定されるものではなく、多くの実施の形態を得ることができる。
【産業上の利用可能性】
【００８７】
この発明は、人間の体重を測定する体重計や動物の体重を測定する動物用体重計など、生体の体重を測定する装置に利用する、あるいは物品の重量を測定する装置に利用するなど、重量測定を行う様々な分野で利用することができる。
【符号の説明】
【００８８】
１００，１００Ａ…体組成計、１１２…記憶部、１１３…計時部、１１５…表示部、１１８…制御部、１３４…ロードセル、１３７…加速度センサ、１６１…０ｋｇ基準値データ
【図１】
2010073682.tif 000003
【図２】
2010073682.tif 000004
【図３】
2010073682.tif 000005
【図４】
2010073682.tif 000006
【図５】
2010073682.tif 000007
【図６】
2010073682.tif 000008
【図７】
2010073682.tif 000009
【図８】
2010073682.tif 000010
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
重量を測定する重量測定手段を備えた重量測定装置であって、
測定対象が乗っていない初期状態の重量測定手段の出力値の測定を行う初期値測定手段と、
測定した初期値を複数記憶する記憶手段と、
該複数の初期値のばらつきが所定範囲内にある場合に初期基準値を作成する初期基準値作成手段と、
前記重量測定手段により測定対象の重量測定を行う際に前記初期基準値を用いて測定する初期基準値適用手段とを備え、
前記初期基準値作成手段は、作成した初期基準値を前記記憶手段に記憶する構成であり、
前記初期基準値適用手段は、前記記憶手段に前記初期基準値が記憶されていれば該初期基準値を使用して測定対象の重量測定をする構成であり、
前記記憶手段に前記初期基準値が記憶されていない場合に前記初期値測定手段で測定した初期値を使用して測定対象の重量測定をする測定初期値適用手段を備えた
重量測定装置。
【請求項２】
（削除）
【請求項３】
前記初期基準値の更新の要否を判定する更新要否判定手段を備え、
該更新要否判定手段で更新必要と判定した場合、前記記憶手段に記憶した初期基準値を不使用にする初期基準値不使用化手段を備えた
請求項１記載の重量測定装置。
【請求項４】
前記記憶手段は、毎回の重量測定後の前記重量測定手段の出力値を測定後値として記憶する構成とし、
前記更新要否判定手段は、重量測定開始前の初期値を測定し、該初期値と前記記憶手段から読み出した最新の前記測定後値とを比較して所定の変化があれば更新必要と判定し、そうでなければ更新不要と判定する構成である
請求項３記載の重量測定装置。
【請求項５】
時間の経過を測定する計時手段を備え、
前記更新要否判定手段は、前記初期基準値作成手段による初期基準値の作成から所定時間が経過していれば更新必要と判定し、そうでなければ更新不要と判定する構成である
請求項３記載の重量測定装置。
【請求項６】
前記更新要否判定手段は、測定対象の重量測定が行われていないときに前記重量測定手段の出力値に変動がある場合に更新必要と判定し、そうでなければ更新不要と判定する構成である
請求項３記載の重量測定装置。
【請求項７】
移動や振動による加速度の変化を検出する加速度検出手段を備え、
前記更新要否判定手段は、前記加速度検出手段により加速度の変化を検出した場合に更新必要と判定し、そうでなければ更新不要と判定する構成である
請求項３記載の重量測定装置。
【請求項８】
前記初期値測定手段で測定した初期値を使用して重量測定したか、前記記憶手段に記憶されている初期基準値を使用して重量測定したかを表示する表示手段を備えた
請求項１記載の重量測定装置。
【請求項９】
重量測定手段を備えた重量測定装置により重量を測定する重量測定方法であって、
測定対象が乗っていない初期値の重量測定手段の測定を初期値測定手段により行い、
測定した初期値を記憶手段に複数記憶し、
該複数の初期値のばらつきが所定範囲内にある場合に初期基準値作成手段により初期基準値を作成して該初期基準値を前記記憶手段に記憶し、
前記重量測定手段により重量測定を行う際に、初期基準値適用手段により、
前記記憶手段に前記初期基準値が記憶されていれば該初期基準値を使用して重量測定をし、
前記記憶手段に前記初期基準値が記憶されていない場合に測定初期値適用手段により前記初期値測定手段で測定した初期値を使用して重量測定をする
重量測定方法。
【請求項１０】
（削除）
【請求項１１】
前記初期基準値の更新の要否を更新要否判定手段により判定し、
該更新要否判定手段で更新必要と判定した場合、初期基準値不使用化手段により前記記憶手段に記憶した初期基準値を不使用にする
請求項９記載の重量測定方法。
【請求項１２】
前記初期値測定手段で測定した初期値を使用して重量測定したか、前記記憶手段に記憶されている初期基準値を使用して重量測定したかを表示手段に表示する
請求項９記載の重量測定方法。
【手続補正２】
【補正対象書類名】明細書
【補正対象項目名】０００２
【補正方法】変更
【補正の内容】
【０００２】
重量測定に要する時間を短縮することを目的とする。
課題を解決するための手段
［０００７］
この発明は、重量を測定する重量測定手段を備えた重量測定装置または重量測定方法であって、測定対象が乗っていない初期状態の重量測定手段の出力値の測定を行う初期値測定手段と、測定した初期値を複数記憶する記憶手段と、該複数の初期値のばらつきが所定範囲内にある場合に初期基準値を作成する初期基準値作成手段と、前記重量測定手段により測定対象の重量測定を行う際に前記初期基準値を用いて測定する初期基準値適用手段とを備え、前記初期基準値作成手段は、作成した初期基準値を前記記憶手段に記憶する構成であり、前記初期基準値適用手段は、前記記憶手段に前記初期基準値が記憶されていれば該初期基準値を使用して測定対象の重量測定をする構成であり、前記記憶手段に前記初期基準値が記憶されていない場合に前記初期値測定手段で測定した初期値を使用して測定対象の重量測定をする測定初期値適用手段を備えた重量測定装置または重量測定方法とすることができる。
前記初期値は、初期の重量測定手段の出力値とすることができる。
これにより、短時間で精度の良い重量測定を実現することができる。
［０００８］
［０００９］
また、初期基準値が作成されるまでは、その都度初期値を測定して該初期値を用いた精度よい重量測定を実行でき、初期基準値の作成後は、この初期基準値を用いて短時間で精度よく重量測定を実行できる。
［００１０］
またこの発明の態様として、前記初期基準値の更新の要否を判定する更新要否判定手段を備え、該更新要否判定手段で更新必要と判定した場合、前記記憶手段に記憶した初期基準値を不使用にする初期基準値不使用化手段を備えることができる。
［００１１］
前記初期基準値不使用化手段は、記憶手段に記憶している初期基準値を消去する手段、あるいは記憶手段に記憶している初期基準値を使用しないで処理を行うように動作を変更する手段など、適宜の手段により構成することができる。
【手続補正書】
【提出日】平成23年3月25日(2011.3.25)
【手続補正１】
【補正対象書類名】明細書
【補正対象項目名】全文
【補正方法】変更
【補正の内容】
【発明の詳細な説明】
【技術分野】
【０００１】
この発明は、例えば生体の重量を測定するような重量測定装置に関し、特に複数回の測定を利用して０ｋｇの測定（利用者が乗っていない初期状態の測定）を無くすことができる重量測定装置に関する。
【背景技術】
【０００２】
従来、生体の体重を測定する様々な重量測定装置が提供されている。このように体重を測定するものとして、体組成計に体重計としての機能が含まれているものが提案されているが、事前にキャリブレーションで基準値を定めるものとしては、ペットの体重を測定するものが提案されている（特許文献１参照）。このペット用自動体重計測システムは、事前に所定重量の錘を用いたキャリブレーションで求めた基準値を用いることが記載されている。
【０００３】
このような基準値となる０ｋｇ状態は、重量測定装置の設置場所や傾き等によって変化する。上述したペット用自動体重計測システムは、事前にキャリブレーションで基準値を求めておくものであるため、工場出荷後の設置環境による誤差が生じてしまうものであった。
【０００４】
一方、重量測定装置としての精度を確保するため、体重測定を開始する前に０ｋｇの測定を行うことが一般的に実施されている。しかし、この場合、この測定に時間がかかり、すぐに測定を始めることができない。このため、毎回の測定に時間がかかるという問題点が生じる。
【先行技術文献】
【特許文献】
【０００５】
【特許文献１】特開２００７−３３０２００号公報
【発明の概要】
【発明が解決しようとする課題】
【０００６】
この発明は、上述した問題点に鑑み、０ｋｇの状態を正しく認識し、かつ重量測定に要する時間を短縮することを目的とする。
【課題を解決するための手段】
【０００７】
この発明は、重量を測定する重量測定手段を備えた重量測定装置または重量測定方法であって、測定対象が乗っていない初期状態の重量測定手段の出力値の測定を行う初期値測定手段と、測定した初期値を複数記憶する記憶手段と、該複数の初期値のばらつきが所定範囲内にある場合に初期基準値を作成する初期基準値作成手段と、前記重量測定手段により測定対象の重量測定を行う際に前記初期基準値を用いて測定する初期基準値適用手段とを備え、前記初期基準値作成手段は、作成した初期基準値を前記記憶手段に記憶する構成であり、前記初期基準値適用手段は、前記記憶手段に前記初期基準値が記憶されていれば該初期基準値を使用して測定対象の重量測定をする構成であり、前記記憶手段に前記初期基準値が記憶されていない場合に前記初期値測定手段で測定した初期値を使用して測定対象の重量測定をする測定初期値適用手段を備えた重量測定装置または重量測定方法とすることができる。  
前記初期値は、初期の重量測定手段の出力値とすることができる。  
これにより、短時間で精度の良い重量測定を実現することができる。
【０００８】
また、初期基準値が作成されるまでは、その都度初期値を測定して該初期値を用いた精度よい重量測定を実行でき、初期基準値の作成後は、この初期基準値を用いて短時間で精度よく重量測定を実行できる。
【０００９】
またこの発明の態様として、前記初期基準値の更新の要否を判定する更新要否判定手段を備え、該更新要否判定手段で更新必要と判定した場合、前記記憶手段に記憶した初期基準値を不使用にする初期基準値不使用化手段を備えることができる。
【００１０】
前記初期基準値不使用化手段は、記憶手段に記憶している初期基準値を消去する手段、あるいは記憶手段に記憶している初期基準値を使用しないで処理を行うように動作を変更する手段など、適宜の手段により構成することができる。
【００１１】
この態様により、初期基準値の更新が必要な場合に確実に更新することが可能になる。
【００１２】
またこの発明の態様として、前記記憶手段は、毎回の重量測定後の前記重量測定手段の出力値を測定後値として記憶する構成とし、前記更新要否判定手段は、重量測定開始前の初期値を測定し、該初期値と前記記憶手段から読み出した最新の前記測定後値とを比較して所定の変化があれば更新必要と判定し、そうでなければ更新不要と判定する構成とすることができる。
【００１３】
前記所定の変化は、一定量以上のひずみ値の変化とするなど、適宜の変化に定めることができる。  
この態様により、前回の測定時と重量測定手段の状態が変化していれば初期基準値を更新することが可能になる。従って、状況が変わっても古い初期基準値を使用し続けることを防止できる。
【００１４】
またこの発明は、時間の経過を測定する計時手段を備え、前記更新要否判定手段は、前記初期基準値作成手段による初期基準値の作成から所定時間が経過していれば更新必要と判定し、そうでなければ更新不要と判定する構成とすることができる。
【００１５】
これにより、初期基準値を所定の期間毎に更新することができ、常に初期基準値を最新化しておくことができる。従って、経年変化等によって重量測定手段の初期状態が変化しても、その変化に対応した初期基準値に更新することができる。
【００１６】
またこの発明の態様として、前記更新要否判定手段は、測定対象の重量測定が行われていないときに前記重量測定手段の出力値に変動がある場合に更新必要と判定し、そうでなければ更新不要と判定する構成とすることができる。
【００１７】
これにより、移動や振動など重量測定以外の要因による重量測定手段の出力を検出し、初期基準値を更新することができる。
【００１８】
またこの発明の態様として、移動や振動による加速度の変化を検出する加速度検出手段を備え、前記更新要否判定手段は、前記加速度検出手段により加速度の変化を検出した場合に更新必要と判定し、そうでなければ更新不要と判定する構成とすることができる。
【００１９】
これにより、移動や振動など測定精度に影響する環境変化を検出し、初期基準値を更新することができる。
【００２０】
またこの発明の態様として、前記初期値測定手段で測定した初期値を使用して重量測定したか、前記記憶手段に記憶されている初期基準値を使用して重量測定したかを表示する表示手段を備えることができる。  
これにより、重量測定直前に測定された初期値を用いたのか、それとも記憶手段に記憶された初期基準値を用いたのかを確認することができる。
【発明の効果】
【００２１】
この発明により、０ｋｇの状態を正しく認識し、かつ重量測定に要する時間を短縮することができる。
【図面の簡単な説明】
【００２２】
【図１】体組成計の外観を示す斜視図。
【図２】体組成計とサーバの構成を示すブロック図。
【図３】０ｋｇ基準値を利用して体重測定する動作を示すフローチャート。
【図４】０ｋｇ状態測定処理の詳細な動作のフローチャート。
【図５】実施例２の体組成計の構成を示すブロック図。
【図６】実施例２の体組成計の記憶部に記憶されるデータの説明図。
【図７】実施例２の体組成計の表示部に表示する表示内容を説明する説明図。
【図８】実施例２の体組成計の制御部が実行する動作のフローチャート。
【発明を実施するための形態】
【００２３】
この発明の一実施形態を以下図面と共に説明する。  
【実施例１】
【００２４】
図１は、体重計の機能を有する体組成計１００の外観を示す斜視図であり、図２は、体組成計１００と、該体組成計１００と通信可能なサーバ１５０の構成を示すブロック図である。図２の図示では１つの体組成計１００をサーバ１５０に接続しているが、種類の異なる複数の体組成計１００や、歩数計、活動量計などの生体情報取得装置をサーバ１５０に接続してもよい。
【００２５】
体組成計１００は、図１に示すように、利用者が手で持つ第１の筐体である表示操作部１１０（ＢＦＡ部：ボディー  ファット  アナライザー部）、利用者が乗る第２の筐体である体重測定部１３０（ＳＣＡＬＥ部）とで主に構成されている。
【００２６】
表示操作部１１０は、図２に示すように通信部１１１、記憶部１１２、計時部１１３、操作部１１４、表示部１１５、定電流回路部１１６、電源部１１７、制御部１１８、二重積分ＡＤ部１１９、インピーダンス検知部１２０、および電極部１２１が設けられている。
【００２７】
通信部１１１は、制御部１１８に接続されており、該制御部１１８の制御信号に従ってサーバ１５０と通信を行う。なお、この通信部１１１は、サーバ１５０に限らず、歩数計などの他の生体情報取得装置と通信する、あるいはパーソナルコンピュータや携帯情報端末（ＰＤＡあるいは携帯電話機等）と通信するなど、適宜の装置と通信する構成にしてもよい。
【００２８】
記憶部１１２は、不揮発性のメモリやハードディスクなどの情報を記憶できる装置で構成されており、接続された制御部１１８の制御信号に従って情報の読み出しや書き込みを行う。この記憶部１１２には、過去の０ｋｇ状態測定値を記憶し、また０ｋｇ基準値を記憶している。
【００２９】
計時部１１３（計時手段）は、現在日時などの時刻を計時する装置であり、必要に応じて時刻を制御部１１８へ送る。  
操作部１１４は、押下操作される複数のボタン（図１参照）により構成されており、体重や身長といった利用者情報の入力など、利用者に押下操作された入力情報を制御部１１８へ送る。
【００３０】
表示部１１５は、液晶画面（図１参照）などの表示装置によって構成され、制御部１１８から送られる画像信号に従って文字や図形といった画像を表示する。  
定電流回路部１１６は、制御部１１８の制御に基づいて、電源部１１７から供給される高周波（交流）電流を電流印加用の電極部１２１に一方向に流す。
【００３１】
電源部１１７は、制御部１１８を含め各部に動作電力を供給する。  
制御部１１８は、ＣＰＵとＲＯＭとＲＡＭあるいはマイコン（マイクロコンピュータ）により構成されており、ＲＯＭ等に記憶されているプログラムに従って各部の制御動作や演算動作を実行する。
【００３２】
二重積分ＡＤ部１１９は、二重積分型のＡＤ（アナログ／デジタル）変換部であり、インピーダンス検知部１２０から供給されるアナログ信号をデジタル信号に変換する。
【００３３】
インピーダンス検知部１２０は、体重測定部１３０に設けられている電極部１３６と表示操作部１１０に設けられている電極部１２１との電位差に基づいてインピーダンスを検出する。
【００３４】
電極部１２１は、利用者が手で持つ表示操作部１１０のグリップ部分（図１参照）の表面に設けられており、グリップ部分を握っている利用者の手のひらへ電源部１１７から供給される高周波（交流）電流を印加する。
【００３５】
体重測定部１３０は、操作部１３１、電池１３２、荷重検知部１３３、および電極部１３６により構成されている。  
操作部１３１は、電源のＯＮ／ＯＦＦを切り替えるための入力スイッチとして機能し、入力された入力信号を制御部１１８へ送る。
【００３６】
電池１３２は、電源部１１７を中心に各部へ電力供給を行う。  
荷重検知部１３３は、ロードセル１３４を内蔵しており、筐体の上面カバーを兼ね備える上面カバー部１３５（図１参照）の上に乗った利用者の体重を測定する。このとき測定した体重は、二重積分ＡＤ部１１９へ送られる。なお、ロードセル１３４は、ひずみゲージ式の検出方法を採用しており、起歪体と呼ばれる弾性体にひずみゲージが貼り付けられ、このひずみゲージのひずみ値を出力するものである。このひずみ値と応力（重量による力）との比例関係を利用して重量を測定することができる。
【００３７】
電極部１３６は、利用者が上に乗る体重測定部１３０の上面部分（図１参照）の表面に設けられており、利用者の足裏から流れてくる電流を受け取る電流測定用の電極である。この電極部１３６は、利用者の左足指側、左足踵側、右足指側、右足踵側の４つの電極により構成されている。
【００３８】
サーバ１５０は、通信部１５１、制御部１５２、操作部１５３、表示部１５４、および記憶部１５５により構成されている。  
通信部１５１は、制御部１５２の制御に従って体組成計１００とデータの送受信を行う。
【００３９】
制御部１５２は、ＣＰＵとＲＯＭとＲＡＭにより構成されており、ＲＯＭ等に記憶されているプログラムに従って各部の制御動作や演算動作を実行する。  
操作部１５３は、キーボードやマウスといった操作入力装置で構成されており、操作入力された入力信号を制御部１５２へ送る。
【００４０】
表示部１５４は、液晶ディスプレイやＣＲＴディスプレイといった表示装置で構成されており、制御部１５２の制御信号に従って表示を行う。  
記憶部１５５は、ハードディスクなどの記憶装置により構成され、体組成計１００で測定した体組成データ（体脂肪データや体重データ）、図示省略する歩数計で測定した歩数データ、図示省略する活動量計で測定した活動量データ、および利用者の氏名や住所といった個人情報など、生体に関する種々のデータが記憶されている。
【００４１】
このように構成された体組成計１００とサーバ１５０と図示省略する歩数計や活動量計といった他の生体情報取得装置によって生体情報取得システム１０１が構成されている。なお、図示省略する歩数計や活動量計といった他の生体情報取得装置は、通信部１５１を通じてサーバ１５０とデータ通信し、歩数、歩行波形、活動量といった適宜のデータをサーバ１５０の記憶部１５５に記憶する。これにより、多種類の生体情報を取り扱えるようにしている。
【００４２】
図３は、体組成計１００の制御部１１８が０ｋｇ基準値を利用して体重測定する動作を示すフローチャートである。  
制御部１１８は、記憶部１１２に０ｋｇ基準値が記憶されているか否か判定し（ステップＳ２０１）、記憶されていれば（ステップＳ２０１：Ｎｏ）、その０ｋｇ基準値を体重測定用０ｋｇ値として使用し（ステップＳ２０３）、ステップＳ２０８へ処理を進める。このとき、使用する０ｋｇ基準値を設定するまでに要する時間は、例えば０．１秒未満と非常に短い時間になる。
【００４３】
０ｋｇ基準値が記憶部１１２に記憶されていなかった場合（ステップＳ２０１：Ｙｅｓ）、制御部１１８は、荷重検知部１３３によって０ｋｇ状態測定処理を実行して０ｋｇ状態測定値を取得する（ステップＳ２０２）。この０ｋｇ状態測定処理の詳細は後述するが、測定完了までに例えば３〜１０秒とある程度の時間がかかる。
【００４４】
制御部１１８は、０ｋｇ状態測定が終了して０ｋｇ状態測定値を取得すると、過去に記憶部１１２に蓄積した０ｋｇ状態測定値と合わせて規定回数（例えば１０回）以上の０ｋｇ状態測定を行っているか否か判定する（ステップＳ２０４）。
【００４５】
制御部１１８は、規定回数未満であれば（ステップＳ２０４：Ｎｏ）、ステップＳ２０２で得た０ｋｇ状態測定値をそのまま体重測定用０ｋｇ値に採用してステップＳ２０８へ処理を進める。
【００４６】
規定回数以上であれば（ステップＳ２０４：Ｙｅｓ）、制御部１１８は、標準偏差測定を実行する（ステップＳ２０５）。この標準偏差測定は、ステップＳ２０２で取得した０ｋｇ状態測定値も含めて蓄積した０ｋｇ状態測定値のばらつきを求める処理であり、このばらつきの標準偏差を求める。このばらつきを求める計算には、例えば０．５秒程度を要する。
【００４７】
ばらつきが規定値以内でなければ（ステップＳ２０６：Ｎｏ）、制御部１１８は、ステップＳ２０２で得た０ｋｇ状態測定値をそのまま体重測定用０ｋｇ値に採用してステップＳ２０８へ処理を進める。
【００４８】
ばらつきが規定値以内であれば（ステップＳ２０６：Ｙｅｓ）、制御部１１８は、テップＳ２０２で取得した０ｋｇ状態測定値も含めて蓄積した０ｋｇ状態測定値の平均値を計算し、この平均値を０ｋｇ基準値として記憶部１１２に保存する（ステップＳ２０７）。この計算と保存には、例えば０．５秒程度を要する。このとき、制御部１１８は、ステップＳ２０２で取得した０ｋｇ状態測定値、あるいはステップＳ２０７で算出した０ｋｇ基準値のいずれか一方を体重測定用０ｋｇ値とする。どちらを体重測定用０ｋｇ値とするかは、予め設定しておくとよい。
【００４９】
制御部１１８は、上面カバー部１３５に利用者が乗った状態で荷重検知部１３３が出力する出力値を取得する体重測定を行う（ステップＳ２０８）。
【００５０】
そして、制御部１１８は、ステップＳ２０８で取得した出力値について体重測定用０ｋｇ値との差分をとり、この差分を体重値として出力し（ステップＳ２０９）、電源ＯＦＦ（ステップＳ２１０）して終了する。この出力は、表示部１１５に表示する、記憶部１１２に記憶する、サーバ１５０へ送信するなど、適宜の方法により実行することができる。
【００５１】
図４は、前述したステップＳ２０２の０ｋｇ状態測定処理の詳細な動作を示すフローチャートである。  
制御部１１８は、荷重検知部１３３に設けられた４つのロードセル１３４（図２参照）のひずみ値を取得する（ステップＳ２２１）。このひずみ値は、現在のひずみ値が取得値となる。
【００５２】
制御部１１８は、ひずみ値の取得回数が規定回数以上か否かをチェックする（ステップＳ２２２）。規定回数未満であれば（ステップＳ２２２：Ｎｏ）、ステップＳ２２１へ処理を戻し、再度ひずみ値の取得を実行する。
【００５３】
規定回数以上であれば（ステップＳ２２２：Ｙｅｓ）、制御部１１８は、今までの取得値の移動平均（Ｘ回移動平均）を計算して移動平均値を求める（ステップＳ２２３）。
【００５４】
制御部１１８は、移動平均値の変化をチェックし、変化量が大きければ（ステップＳ２２４：変化量大）、ステップＳ２２１に処理を戻して再度ひずみ値の取得を実行する。
【００５５】
移動平均値の変化量が小さければ（ステップＳ２２４：変化量小）、制御部１１８は、この移動平均値が現在の０ｋｇ状態のひずみ度であると定め（ステップＳ２２５）、処理を終了する。  
体組成計１００による体脂肪率の測定は、インピーダンス検知部１２０により測定したインピーダンスをもとに所定の演算式を実行することで行う。
【００５６】
以上に説明したように、体組成計１００は、利用者が乗っていない初期状態（０ｋｇ状態）の出力値の測定を行う初期値測定手段（ステップＳ２０２を実行する制御部１１８）と、測定した初期値を複数記憶する記憶手段（記憶部１１２）と、該複数の初期値のばらつきが所定範囲内（規定値以内）にある場合に初期基準値を作成する初期基準値作成手段（ステップＳ２０７を実行する制御部１１８）と、重量測定手段（荷重検知部１３３）により重量測定を行う際に前記初期基準値を用いて測定する初期基準値適用手段（ステップＳ２０９を実行する制御部１１８）とを備えたため、短時間で精度の良い体重測定を実現することができる。
【００５７】
すなわち、仮に体重測定を開始する前に必ず０ｋｇの状態を測定すると、３〜１０秒程度の時間が毎回かかることになり、すぐに計測が始めることができない。これに対し、測定開始から１０回程度は毎回０ｋｇ測定を行い、その測定毎に体組成計の０ｋｇ状態を保存し、ばらつきが低ければこの平均値を０ｋｇ基準値とすることで、これ以降０ｋｇ測定に要する時間を短縮して体重測定ができる。これにより、体組成計１００が一旦測定場所に置かれると、該体組成計１００の０ｋｇ状態はほぼ変わらないことを利用して、測定時間の短縮を図ることができる。
【００５８】
また、０ｋｇ状態測定値を記憶部１１２やサーバ１５０に蓄積することで、次回の０ｋｇ状態測定値を予測でき、この０ｋｇ状態の測定に要する時間を省略できる。
【実施例２】
【００５９】
次に、必要に応じて０ｋｇ基準値を再設定する実施例２について説明する。  
図５は、体組成計１００Ａの構成を示すブロック図である。この体組成計１００Ａには、体重測定部１３０Ａに加速度センサ１３７が設けられている。加速度センサ１３７は、移動や振動による加速度の変化を検出し、検出した加速度信号を制御部１１８に伝達する。なお、加速度センサには、適宜のものを用いることができるが、どのような方向への移動や振動でも検出するためには３次元の加速度センサが好ましい。
【００６０】
その他の構成は、実施例１と同一であるため、同一要素に同一符号を付して、その詳細な説明を省略する。
【００６１】
図６は、体組成計１００Ａの記憶部１１２に記憶されるデータの説明図であり、図６（Ａ）は０ｋｇ基準値データ１６１、図６（Ｂ）は０ｋｇ状態測定値データ１６２を示している。
【００６２】
図６（Ａ）に示すように、０ｋｇ基準値データ１６１は、設定時に計時部１１３から取得した設定年月日と、４つのロードセル１３４別にそれぞれ決定した０ｋｇ基準値Ａ〜Ｄを記憶している。この０ｋｇ基準値データ１６１は、各項目について１つだけデータを記憶する１レコードのデータとして構成されている。
【００６３】
図６（Ｂ）に示すように、０ｋｇ状態測定値データ１６２は、測定時に計時部１１３から取得した測定年月日と、４つのロードセル１３４別にそれぞれ測定した０ｋｇ状態測定値Ａ〜Ｄを記憶している。この０ｋｇ状態測定値データ１６２は、実施例１で説明したステップＳ２２１で測定した４つのロードセル１３４のひずみ値を測定年月日とともにそれぞれ記憶するものであり、複数回分（この実施例では１０回分）記憶できるように構成されている。１つめのレコードから順にデータが記憶されていき、最後のレコードまでデータが記憶されると、最初のレコードに戻って上書きされていく。これにより、最新のデータを複数個記憶できるようにしている。
【００６４】
図７は、体組成計１００Ａの表示部１１５に表示する表示内容を説明する説明図である。図７（Ａ）に示すように、表示部１１５は、測定した体重を表示する体重表示部１１５ａと、直前に０ｋｇ状態を測定してその０ｋｇ状態測定値を利用した体重であることを示すキャリブレーション表示部１１５ｂとが設けられている。
【００６５】
上述した実施例１のステップＳ２０１にて０ｋｇ基準値が無かった場合（ステップＳ２０１：Ｙｅｓ）は、この図７（Ａ）に示すようにキャリブレーション表示部１１５ｂに「calibration」と表示を行う。上述した実施例１のステップＳ２０１にて０ｋｇ基準値があった場合は（ステップＳ２０１：Ｎｏ）、キャリブレーション表示部１１５ｂに表示を行わず、図７（Ｂ）に示すように体重表示部１１５ａに体重を表示する。
【００６６】
なお、キャリブレーション表示部１１５ｂの表示は、図示するように「calibration」と表示することに限らず、「直前調整有り」などの他の文言とする、あるいは適宜定めた図形を表示するなど、適宜の表示とすることができる。
【００６７】
図８は、体組成計１００Ａの制御部１１８が必要に応じて０ｋｇ基準値を再設定し、この０ｋｇ基準値を利用して体重測定する動作を示すフローチャートである。  
制御部１１８は、電源がＯＮされると、０ｋｇ基準値の再設定が必要か否か判定する（ステップＳ２３１）。この判定は、所定条件に該当するか否かによって行う。具体的には、記憶部１１２の０ｋｇ基準値データ１６１に記憶されている設定年月日から現在日が所定日数以上経過している場合に再設定が必要と判定し、そうでなければ再設定不要と判定するとよい。
【００６８】
他にも、４つのロードセル１３４の０ｋｇ状態測定値を測定し、記憶部１１２の０ｋｇ状態測定値データ１６２から過去の最新のロードセル１３４の０ｋｇ状態測定値Ａ〜Ｄ（この場合は、体重測定終了後に測定した０ｋｇ状態測定値とすることが好ましい）を取得し、これらを比較して所定量以上の変化がある場合に再設定が必要と判定してもよい。
【００６９】
また、前回の測定後に所定量以上の加速度の変化が加速度センサ１３７により検出された場合に再設定必要と判定してもよい。この場合、加速度センサ１３７により所定量以上の加速度変化があれば、記憶部１１２に加速度の変化量と変化年月日を記憶する構成にするとよい。そして、過去の最新の測定時よりも加速度変化の検出時が新しい場合に、移動等による加速度の変化があったとして再設定必要と判定するとよい。
【００７０】
また、所定基準として上述したような日数や０ｋｇ状態や加速度変化などの複数の判定基準を用いて、１つでも判定基準に該当すれば再設定必要と判定する構成にしてもよい。
【００７１】
このようにして再設定必要と判定した場合（ステップＳ２３１：Ｙｅｓ）、制御部１１８は、記憶部１１２の０ｋｇ基準値データ１６１を消去し（ステップＳ２３２）、０ｋｇ基準値決定処理を実行する（ステップＳ２３３）。このとき、０ｋｇ状態測定値データ１６２も消去する構成にしてもよい。  
また、再設定不要と判定した場合（ステップＳ２３１：Ｎｏ）、制御部１１８は、０ｋｇ基準値決定処理を実行する（ステップＳ２３３）。
【００７２】
この０ｋｇ基準値決定処理は、上述した実施例１のステップＳ２０１〜Ｓ２０７と同一の処理を行うものであり、その詳細な説明を省略する。これにより、ステップＳ２３１で再設定必要と判定していれば、ステップＳ２０２の０ｋｇ状態の測定を実行し、ステップＳ２３１で再設定不要と判定していれば、ステップＳ２０３で０ｋｇ基準値を使用することになる。
【００７３】
制御部１１８は、体重測定処理を実行する（ステップＳ２３４）。この体重測定処理は、上述した実施例１のステップＳ２０８〜Ｓ２０９と同一の処理を行うものであり、その詳細な説明を省略する。なお、ステップＳ２０９では、表示部１１５に測定体重を表示する際に、図７（Ａ）に示したようにキャリブレーション（０ｋｇ基準値の調整）を直前に行ったか否か（キャリブレーション表示部１１５ｂ）も同時に表示する。
【００７４】
制御部１１８は、このようにして０ｋｇ基準値の再設定の要否を判定し、０ｋｇ基準値を決定し、体重測定を行った後、電源をＯＦＦにして処理を終了する（ステップＳ２３５）。
【００７５】
以上の構成および動作により、体組成計１００Ａが移動された場合など０ｋｇ状態の再設定が必要な場合に、再設定が必要なことを検出して０ｋｇ基準値を再設定することができる。
【００７６】
また、４つのロードセル１３４で測定したそれぞれのひずみ値（ひずみゲージの値）を０ｋｇ状態測定値Ａ〜Ｄとして記憶しているため、これらを比較して底面の傾きを判定することができる。すなわち、人が乗っていない場合、体組成計１００Ａの自重のみがひずみゲージにかかっているため、これを比較することで底面の傾きを判定できる。これにより、底面の傾きによる重量測定の誤差を防止することができる。
【００７７】
また、一度置き場所が定まるとそのままの場所に置かれていることが多い体重計（体組成計１００Ａ）の利用態様に適応して、測定精度の向上と測定時間の他萎縮の両立を図ることができる。
【００７８】
すなわち、どこかに設置されると、当初は毎回０ｋｇ状態の測定が実行され、少々時間がかかるが精度の高い体重測定を行うことができる。そして、所定回数である１０回の０ｋｇ状態測定値の蓄積があると、平均値を０ｋｇ基準値として保存し、以降はこの０ｋｇ基準値を用いて短時間に体重測定を完了させることができる。このとき、０ｋｇ基準値として保存される値は、ばらつきが規定値以内の場合に限られているため、高い精度を維持することができる。
【００７９】
そして、体重計（体組成計１００Ａ）が移動されて０ｋｇ状態に変化が生じた場合など、再設定基準に該当する場合は、０ｋｇ基準値を消去（リセット）して最初から０ｋｇ状態の測定、０ｋｇ基準値の設定を行うことができる。
【００８０】
このようにして、体重計（体組成計１００Ａ）が移動等される毎に、その場所で最適な状態に０ｋｇ基準値が調整されるため、利用者は複雑な操作などをせずとも、ただ体重計（体組成計１００Ａ）を設置して体重を測定するだけで精度の高い体重を知ることがきる。
【００８１】
また、その場で体重計（体組成計１００Ａ）が置きなおされる、あるいは何かに衝突して傾きが変わるなどにより、０ｋｇ状態の測定値が変化した場合も、０ｋｇ基準値の再設定が実行されるため、常時最適な状態で精度の高い体重測定を実行することができる。
【００８２】
また、所定時間が経過した場合も０ｋｇ基準値の再設定が実行されるため、経年変化等によって０ｋｇ状態に変化が生じても再調整して精度よく測定することができる。  
また、実施例１と同一の効果も得ることができる。
【００８３】
なお、以上の各実施例では、体重測定の前に０ｋｇの測定を実行したが、これにかぎらず、体重測定後に実行する構成とする、あるいは体重測定の前後に実行する構成とすることもできる。特に体重測定の前後に実行する場合、前後で測定した０ｋｇ状態のひずみ値に差があれば、前後に測定した０ｋｇ状態測定値の平均値を用いる、あるいは表示部１１５にエラー表示して再測定を求めるなど、さらに精度を高めることができる。
【００８４】
また、０ｋｇ基準値データ１６１や０ｋｇ状態測定値データ１６２に記憶する時間を年月日としたが、これに限らず日時とするなど、時間の経過を判定可能な適宜の単位とすることができる。
【００８５】
この発明の構成と、上述の実施形態との対応において、
この発明の重量測定装置は、実施形態の体組成計１００，１００Ａに対応し、
以下同様に、
記憶手段は、記憶部１１２に対応し、
計時手段は、計時部１１３に対応し、
表示手段は、表示部１１５に対応し、
初期基準値適用手段は、ステップＳ２０３を実行する制御部１１８に対応し、
測定初期値適用手段は、ステップＳ２０４：ＮＯおよびステップＳ２０６：ＮＯを実行する制御部１１８に対応し、
初期基準値作成手段は、ステップＳ２０７を実行する制御部１１８に対応し、
初期値測定手段は、ステップＳ２２１を実行する制御部１１８に対応し、
更新要否判定手段は、ステップＳ２３１を実行する制御部１１８に対応し、
初期基準値不使用化手段は、ステップＳ２３２を実行する制御部１１８に対応し、
重量測定手段は、ロードセル１３４に対応し、
加速度検出手段は、加速度センサ１３７に対応し、
初期基準値は、０ｋｇ基準値データ１６１の０ｋｇ基準値Ａ〜Ｄに対応し、
初期値は、０ｋｇ状態測定値に対応し、
所定時間は、所定日数に対応し、
重量測定手段の出力値は、ひずみ値に対応し、
測定対象は、利用者に対応し、
所定の変化は、所定量以上の変化に対応し、
所定範囲は、規定値に対応し、
初期状態は、利用者が乗っていない状態に対応するが、
この発明は、上述の実施形態の構成のみに限定されるものではなく、多くの実施の形態を得ることができる。
【産業上の利用可能性】
【００８６】
この発明は、人間の体重を測定する体重計や動物の体重を測定する動物用体重計など、生体の体重を測定する装置に利用する、あるいは物品の重量を測定する装置に利用するなど、重量測定を行う様々な分野で利用することができる。
【符号の説明】
【００８７】
１００，１００Ａ…体組成計、１１２…記憶部、１１３…計時部、１１５…表示部、１１８…制御部、１３４…ロードセル、１３７…加速度センサ、１６１…０ｋｇ基準値データ
【手続補正２】
【補正対象書類名】特許請求の範囲
【補正対象項目名】全文
【補正方法】変更
【補正の内容】
【特許請求の範囲】
【請求項１】
重量を測定する重量測定手段を備えた重量測定装置であって、
測定対象が乗っていない初期状態の重量測定手段の出力値の測定を行う初期値測定手段と、
測定した初期値を複数記憶する記憶手段と、
該複数の初期値のばらつきが所定範囲内にある場合に初期基準値を作成する初期基準値作成手段と、
前記重量測定手段により測定対象の重量測定を行う際に前記初期基準値を用いて測定する初期基準値適用手段とを備え、
前記初期基準値作成手段は、作成した初期基準値を前記記憶手段に記憶する構成であり、
前記初期基準値適用手段は、前記記憶手段に前記初期基準値が記憶されていれば該初期基準値を使用して測定対象の重量測定をする構成であり、
前記記憶手段に前記初期基準値が記憶されていない場合に前記初期値測定手段で測定した初期値を使用して測定対象の重量測定をする測定初期値適用手段を備えた
重量測定装置。
【請求項２】
前記初期基準値の更新の要否を判定する更新要否判定手段を備え、
該更新要否判定手段で更新必要と判定した場合、前記記憶手段に記憶した初期基準値を不使用にする初期基準値不使用化手段を備えた
請求項１記載の重量測定装置。
【請求項３】
前記記憶手段は、毎回の重量測定後の前記重量測定手段の出力値を測定後値として記憶する構成とし、
前記更新要否判定手段は、重量測定開始前の初期値を測定し、該初期値と前記記憶手段から読み出した最新の前記測定後値とを比較して所定の変化があれば更新必要と判定し、そうでなければ更新不要と判定する構成である
請求項２記載の重量測定装置。
【請求項４】
時間の経過を測定する計時手段を備え、
前記更新要否判定手段は、前記初期基準値作成手段による初期基準値の作成から所定時間が経過していれば更新必要と判定し、そうでなければ更新不要と判定する構成である
請求項２記載の重量測定装置。
【請求項５】
前記更新要否判定手段は、測定対象の重量測定が行われていないときに前記重量測定手段の出力値に変動がある場合に更新必要と判定し、そうでなければ更新不要と判定する構成である
請求項２記載の重量測定装置。
【請求項６】
移動や振動による加速度の変化を検出する加速度検出手段を備え、
前記更新要否判定手段は、前記加速度検出手段により加速度の変化を検出した場合に更新必要と判定し、そうでなければ更新不要と判定する構成である
請求項２記載の重量測定装置。
【請求項７】
前記初期値測定手段で測定した初期値を使用して重量測定したか、前記記憶手段に記憶されている初期基準値を使用して重量測定したかを表示する表示手段を備えた
請求項１記載の重量測定装置。
【請求項８】
重量測定手段を備えた重量測定装置により重量を測定する重量測定方法であって、
測定対象が乗っていない初期値の重量測定手段の測定を初期値測定手段により行い、
測定した初期値を記憶手段に複数記憶し、
該複数の初期値のばらつきが所定範囲内にある場合に初期基準値作成手段により初期基準値を作成して該初期基準値を前記記憶手段に記憶し、
前記重量測定手段により重量測定を行う際に、初期基準値適用手段により、
前記記憶手段に前記初期基準値が記憶されていれば該初期基準値を使用して重量測定をし、
前記記憶手段に前記初期基準値が記憶されていない場合に測定初期値適用手段により前記初期値測定手段で測定した初期値を使用して重量測定をする
重量測定方法。
【請求項９】
前記初期基準値の更新の要否を更新要否判定手段により判定し、
該更新要否判定手段で更新必要と判定した場合、初期基準値不使用化手段により前記記憶手段に記憶した初期基準値を不使用にする
請求項８記載の重量測定方法。
【請求項１０】
前記初期値測定手段で測定した初期値を使用して重量測定したか、前記記憶手段に記憶されている初期基準値を使用して重量測定したかを表示手段に表示する
請求項８記載の重量測定方法。
【手続補正３】
【補正対象書類名】図面
【補正対象項目名】全図
【補正方法】変更
【補正の内容】
【図１】
2010073682.tif 000011
【図２】
2010073682.tif 000012
【図３】
2010073682.tif 000013
【図４】
2010073682.tif 000014
【図５】
2010073682.tif 000015
【図６】
2010073682.tif 000016
【図７】
2010073682.tif 000017
【図８】
2010073682.tif 000018
【国際調査報告】
2010073682.tif 000019
2010073682.tif 000020